(57)【要約】【課題】ゲート装置に対して接続するだけで、多種多様な機能を持つシステム構築が可能な配線システムを提供する。【解決手段】壁内に配線された電力線Ｌ１および情報線Ｌ２のそれぞれに接続される電力路接続口３２および情報路接続口３４を有し、壁に埋設固定されるゲート装置３と、所定の状態を検知するセンサ手段８と、外部からの無線信号により所定の動作を行う被制御機器１１と、ゲート装置３を介して電力線Ｌ１および情報線Ｌ２に接続され、センサ手段８からの情報を無線により受信可能である一方、被制御機器１１に対して制御信号を無線により送信可能な無線通信モジュール４ｆ，５ｂと、無線通信モジュール４ｆから得られた情報に基づいて被制御装置１１に対する制御信号を生成し、無線通信モジュール５ｂに送信する制御モジュール５ｃとを具備する。【選択図】図１
2007174550.tif 000002
【特許請求の範囲】
【請求項１】
壁内に配線された電力線および情報線のそれぞれに接続される電力路接続口および情報路接続口を有し、壁に埋設固定されるゲート装置と、
所定の状態を検知するセンサ手段と、
ゲート装置を介して電力線および情報線に接続され、センサ手段からの情報を無線により受信可能な無線通信手段と、
無線通信手段から得られた情報に基づいて制御される被制御モジュールとを具備し、
被制御モジュールは、ゲート装置から電力を得るとともにゲート装置を介して情報信号の授受を行う基本機能モジュール、または、基本機能モジュールに着脱可能に構成され、基本機能モジュールを介して電力の供給を受け得るとともに情報信号の授受を行い得る拡張機能モジュールとして構成されることを特徴とする配線システム。
【請求項２】
壁内に配線された電力線および情報線のそれぞれに接続される電力路接続口および情報路接続口を有し、壁に埋設固定されるゲート装置と、
外部からの無線信号により所定の動作を行う被制御機器と、
被制御機器に対する操作入力が可能な操作モジュールと、
ゲート装置を介して電力線および情報線に接続され、操作モジュールから得られた操作入力に基づいた制御信号を無線送信可能な無線通信手段とを具備し、
操作モジュールは、ゲート装置から電力を得るとともにゲート装置を介して情報信号の授受を行う基本機能モジュール、または、基本機能モジュールに着脱可能に構成され、基本機能モジュールを介して電力の供給を受け得るとともに情報信号の授受を行い得る拡張機能モジュールとして構成されることを特徴とする配線システム。
【請求項３】
壁内に配線された電力線および情報線のそれぞれに接続される電力路接続口および情報路接続口を有し、壁に埋設固定されるゲート装置と、
所定の状態を検知するセンサ手段と、
外部からの無線信号により所定の動作を行う被制御機器と、
ゲート装置を介して電力線および情報線に接続され、センサ手段からの情報を無線により受信可能である一方、被制御機器に対して制御信号を無線により送信可能な無線通信手段と、
無線通信手段から得られた情報に基づいて被制御装置に対する制御信号を生成し、無線通信手段に送信する制御モジュールとを具備し、
制御モジュールは、ゲート装置から電力を得るとともにゲート装置を介して情報信号の授受を行う基本機能モジュール、または、基本機能モジュールに着脱可能に構成され、基本機能モジュールを介して電力の供給を受け得るとともに情報信号の授受を行い得る拡張機能モジュールとして構成されることを特徴とする配線システム。
【請求項４】
ゲート装置は、複数あり、各ゲート装置間において情報線を介して情報の授受を行うことを特徴とする請求項１〜３のいずれかに記載の配線システム。
【請求項５】
無線通信手段は、公衆通信網を利用可能に構成されることを特徴とする請求項１〜４のいずれかに記載の配線システム。
【請求項６】
無線通信手段は、電力線からの電力により駆動することを特徴とする請求項１〜５のいずれかに記載の配線システム。
【請求項７】
無線通信手段は、ゲート装置に着脱可能に構成され、ゲート装置から電力を得るとともにゲート装置を介して情報信号の授受を行う基本機能モジュール、または、基本機能モジュールに着脱可能に構成され、基本機能モジュールを介して電力の供給を受け得るとともに情報信号の授受を行い得る拡張機能モジュールとして構成されることを特徴とする請求項１〜６のいずれかに記載の配線システム。
【請求項８】
ゲート装置から電力を得るとともにゲート装置を介して情報信号の授受を行う基本機能モジュール、または、基本機能モジュールに着脱可能に構成され、基本機能モジュールを介して電力の供給を受け得るとともに情報信号の授受を行い得る拡張機能モジュールとして構成されるアダプタモジュールを具備し、無線通信手段は、アダプタモジュールに収納可能に構成されることを特徴とする請求項１〜６のいずれかに記載の配線システム。
【請求項９】
無線通信手段は、部屋の上部位置に設置されたゲート装置に装着されることを特徴とする請求項１〜８のいずれかに記載の配線システム。
【発明の詳細な説明】
【技術分野】
【０００１】
本発明は、情報と負荷の電力とを同時に送ることができ、且つ、負荷を所定の設置位置から離れた位置に設置しても負荷を機能させることができる配線システムに関する。
【背景技術】
【０００２】
従来、端末器を通じて負荷の操作（監視）制御を行うシステムには、端末器へ中央監視装置から複極のベースバンド信号からなる伝送信号を時分割多重によって送り、各端末器では、この伝送信号を利用して情報の授受を行うと共に端末回路部の電源を得るシステムがあった（下記特許文献１参照）。
【０００３】
そしてこのシステムでは、埋め込み型の配線器具用に規格されているスイッチボックスとこれに対応する取付枠とを用いて操作スイッチ等を設けた操作用端末器を壁面に埋め込み配設することで、従前の壁スイッチと同様な使い方が行われるようになっている。また２組の操作用端末器を取り付ける場合には、２つの取付窓を備えた２連用の取付枠を用い、取付枠の片側の一連分を一連型のスイッチボックスに取り付け、残りの片側を壁面に沿わせるように配置し、それぞれの取付窓に操作用端末器を取り付けることで、２つの操作用端末器を併設する構成を採用していた。また、取付窓間に設けた導電片を両側の取付窓に設けた操作用端末器のリード片を接触させることで、一方の操作用端末器（スイッチボックス側）から他方の操作用端末器へ信号線を送り配線する構成となっている。
【０００４】
ところで、上述のシステムは、伝送信号により端末器の端末回路部に電力を供給することができるものの、例えば信号線の電流容量等の制限から制御用端末器により制御される負荷への電力供給は、それぞれの設置場所において商用電源から供給する構成であった。そのため、２線の信号線を各端末器間で接続するだけでよいため、信号線について省配線化を図ることができるものの、負荷に対する電源線の配置が従前のままであるため、制御用端末器の設置場所が限定されると言った問題があった。
【特許文献１】特許第３１３６００６号公報
【発明の開示】
【発明が解決しようとする課題】
【０００５】
しかも、端末器は監視対象からのデータの取り込みかあるいは制御データに基づいた負荷の制御かの機能しかなく、それ自体が独自の機能を持つものではなかった。しかも、被制御対象を多岐に渡って拡張することができない。さらに、上記システムは、埋め込み配設された場所以外でのシステムの拡張性に乏しい。
【０００６】
本発明は、上述の点に鑑みてなされたもので、ゲート装置に対して接続するだけで、多種多様な機能を持つシステム構築が可能な配線システムを提供することを目的とする。
【課題を解決するための手段】
【０００７】
本発明に係る配線システムの第１の態様は、壁内に配線された電力線および情報線のそれぞれに接続される電力路接続口および情報路接続口を有し、壁に埋設固定されるゲート装置と、所定の状態を検知するセンサ手段と、ゲート装置を介して電力線および情報線に接続され、センサ手段からの情報を無線により受信可能な無線通信手段と、無線通信手段から得られた情報に基づいて制御される被制御モジュールとを具備し、被制御モジュールは、ゲート装置から電力を得るとともにゲート装置を介して情報信号の授受を行う基本機能モジュール、または、基本機能モジュールに着脱可能に構成され、基本機能モジュールを介して電力の供給を受け得るとともに情報信号の授受を行い得る拡張機能モジュールとして構成されることを特徴とするものである。
【０００８】
上記構成の配線システムによれば、ゲート装置が、電力線に接続されている電力路接続口と情報線に接続されている情報路接続口とをモジュール化して形成した接続口を備える。このゲート装置を介して電力線および情報線に接続された無線通信手段において、別所に設置された（本配線システムの少なくとも情報線に接続されていない場所で）所定の状態を検知するセンサ手段からの情報が無線により受信される。被制御モジュールは、ゲート装置から電力を得るとともにゲート装置を介して情報信号の授受を行う基本機能モジュール、または、基本機能モジュールに着脱可能に構成され、基本機能モジュールを介して電力の供給を受け得るとともに情報信号の授受を行い得る拡張機能モジュールとして構成されるものであり、無線通信手段が受信した情報を受け取り、当該情報に基づいて所定の制御（処理）がなされる。つまり、無線通信手段が電力線および情報線上に設けられたモジュール（被制御モジュール）と、電力線および情報線上にない機器（センサ手段）との間の情報の授受を行う情報ステーションとしてのゲートの役割を果たすこととなる。
【０００９】
このように、被制御対象をゲート装置に着脱可能とすべくモジュール化するとともに、別所に設置されたセンサ手段からの情報を無線により受信可能とすることにより、遠隔にあるセンサ手段の情報に基づいて被制御対象を制御することができるとともに、被制御対象である被制御モジュールの設置場所について、自由度を大きくすることができる。したがって、被制御対象をゲート装置に対して接続するだけで、多種多様な機能を持つシステム構築を可能とすることができる。
【００１０】
また、本発明に係る配線システムの第２の態様は、壁内に配線された電力線および情報線のそれぞれに接続される電力路接続口および情報路接続口を有し、壁に埋設固定されるゲート装置と、外部からの無線信号により所定の動作を行う被制御機器と、被制御機器に対する操作入力が可能な操作モジュールと、ゲート装置を介して電力線および情報線に接続され、操作モジュールから得られた操作モジュールから得られた操作入力に基づいた制御信号を無線送信可能な無線通信手段とを具備し、操作モジュールは、ゲート装置から電力を得るとともにゲート装置を介して情報信号の授受を行う基本機能モジュール、または、基本機能モジュールに着脱可能に構成され、基本機能モジュールを介して電力の供給を受け得るとともに情報信号の授受を行い得る拡張機能モジュールとして構成されることを特徴とするものである。
【００１１】
上記構成の配線システムによれば、ゲート装置が、電力線に接続されている電力路接続口と情報線に接続されている情報路接続口とをモジュール化して形成した接続口を備える。また、操作モジュールは、ゲート装置から電力を得るとともにゲート装置を介して情報信号の授受を行う基本機能モジュール、または、基本機能モジュールに着脱可能に構成され、基本機能モジュールを介して電力の供給を受け得るとともに情報信号の授受を行い得る拡張機能モジュールとして構成される。そして、操作モジュールにおいて操作入力を行うことにより、当該操作入力に応じた制御信号が、ゲート装置を介して電力線および情報線に接続された無線通信手段から被制御機器に無線送信される。つまり、無線通信手段が電力線および情報線上に設けられたモジュール（操作モジュール）と、電力線および情報線上にない機器（被制御機器）との間の情報の授受を行う情報ステーションとしてのゲートの役割を果たすこととなる。
【００１２】
このように、操作モジュールをゲート装置に着脱可能とすべくモジュール化するとともに、別所に設置された被制御対象である被制御機器に対し、操作モジュールからの制御信号を無線により送信可能とすることにより、被制御機器を遠隔制御することができるとともに、操作モジュールの設置場所について、自由度を大きくすることができる。したがって、操作モジュールをゲート装置に対して接続するだけで、多種多様な機能を持つシステム構築を可能とすることができる。
【００１３】
また、本発明に係る配線システムの第３の態様は、壁内に配線された電力線および情報線のそれぞれに接続される電力路接続口および情報路接続口を有し、壁に埋設固定されるゲート装置と、所定の状態を検知するセンサ手段と、外部からの無線信号により所定の動作を行う被制御機器と、ゲート装置を介して電力線および情報線に接続され、センサ手段からの情報を無線により受信可能である一方、被制御機器に対して制御信号を無線により送信可能な無線通信手段と、無線通信手段から得られた情報に基づいて被制御装置に対する制御信号を生成し、無線通信手段に送信する制御モジュールとを具備し、制御モジュールは、ゲート装置から電力を得るとともにゲート装置を介して情報信号の授受を行う基本機能モジュール、または、基本機能モジュールに着脱可能に構成され、基本機能モジュールを介して電力の供給を受け得るとともに情報信号の授受を行い得る拡張機能モジュールとして構成されることを特徴とするものである。
【００１４】
上記構成の配線システムによれば、ゲート装置が、電力線に接続されている電力路接続口と情報線に接続されている情報路接続口とをモジュール化して形成した接続口を備える。一方、制御モジュールは、ゲート装置から電力を得るとともにゲート装置を介して情報信号の授受を行う基本機能モジュール、または、基本機能モジュールに着脱可能に構成され、基本機能モジュールを介して電力の供給を受け得るとともに情報信号の授受を行い得る拡張機能モジュールとして構成される。ここで、ゲート装置を介して電力線および情報線に接続された無線通信手段において、別所に設置された所定の状態を検知するセンサ手段からの情報が無線により受信される。そして、当該情報がゲート装置を介して制御モジュールに送信され、制御モジュールにより、当該情報に基づいて被制御装置に対する制御信号が生成される。生成された制御信号は、ゲート装置を介して電力線および情報線に接続された無線通信手段により、被制御機器に無線送信される。つまり、無線通信手段が電力線および情報線上に設けられたモジュール（制御モジュール）と、電力線および情報線上にない機器（センサ手段、被制御機器）との間の情報の授受を行う情報ステーションとしてのゲートの役割を果たすこととなる。
【００１５】
このように、制御モジュールをゲート装置に着脱可能とすべくモジュール化するとともに、別所に設置されたセンサ手段からの情報を無線により受信可能とし、併せて、別所に設置された被制御対象である被制御機器に対し、制御モジュールからの制御信号を無線により送信可能とすることにより、遠隔にあるセンサ手段の情報に基づいて、被制御機器を遠隔制御することができるとともに、制御モジュールの設置場所について、自由度を大きくすることができる。したがって、制御モジュールをゲート装置に対して接続するだけで、多種多様な機能を持つシステム構築を可能とすることができる。
【００１６】
好ましくは、ゲート装置は、複数あり、各ゲート装置間において情報線を介して情報の授受を行うように構成される。
【００１７】
この場合、ゲート装置が複数設けられており、各ゲート装置間において情報線を介して情報の授受が行われる。したがって、無線通信手段が装着されるゲート装置と、被制御モジュール、操作モジュールまたは制御モジュールが装着されるゲート装置とが異なる構成が実現可能となり、無線通信手段および上記各機能モジュールの設置場所について、自由度をより大きくすることができる。
【００１８】
好ましくは、無線通信手段は、公衆通信網を利用可能に構成される。
【００１９】
この場合、無線通信手段は、携帯電話網等の公衆通信網を利用可能となるため、携帯端末を制御対象または被制御対象として構成することができる。
【００２０】
好ましくは、無線通信手段は、電力線からの電力により駆動するように構成される。
【００２１】
この場合、無線通信手段は、電力線からの電力により駆動するため、他に駆動電源を求める必要がなくなり、よりシンプルかつ省スペースに構成することができる。
【００２２】
好ましくは、無線通信手段は、ゲート装置に着脱可能に構成され、ゲート装置から電力を得るとともにゲート装置を介して情報信号の授受を行う基本機能モジュール、または、基本機能モジュールに着脱可能に構成され、基本機能モジュールを介して電力の供給を受け得るとともに情報信号の授受を行い得る拡張機能モジュールとして構成される。
【００２３】
この場合、無線通信手段自体が、ゲート装置に着脱可能に構成され、ゲート装置から電力を得るとともにゲート装置を介して情報信号の授受を行う基本機能モジュール、または、基本機能モジュールに着脱可能に構成され、基本機能モジュールを介して電力の供給を受け得るとともに情報信号の授受を行い得る拡張機能モジュールとして構成される。
【００２４】
このように、無線通信手段をモジュール化することにより、無線通信手段の設置場所について、自由度を大きくすることができる。
【００２５】
また、好ましくは、ゲート装置から電力を得るとともにゲート装置を介して情報信号の授受を行う基本機能モジュール、または、基本機能モジュールに着脱可能に構成され、基本機能モジュールを介して電力の供給を受け得るとともに情報信号の授受を行い得る拡張機能モジュールとして構成されるアダプタモジュールを具備し、無線通信手段は、アダプタモジュールに収納可能に構成される。
【００２６】
この場合、アダプタモジュールが、ゲート装置から電力を得るとともにゲート装置を介して情報信号の授受を行う基本機能モジュール、または、基本機能モジュールに着脱可能に構成され、基本機能モジュールを介して電力の供給を受け得るとともに情報信号の授受を行い得る拡張機能モジュールとして構成される。アダプタモジュールは、無線通信手段を収納することにより、無線通信を行うことができる機能モジュールとして機能する。
【００２７】
したがって、この場合でも無線通信手段をモジュール化することができ、無線通信手段の設置場所について、自由度を大きくすることができる。
【００２８】
好ましくは、無線通信手段は、部屋の上部位置に設置されたゲート装置に接続されるように構成される。
【００２９】
この場合、無線通信手段は、部屋のエアコン口や天井等の障害物の少ない位置に接続される。したがって、無線電波が障害物によって遮断されることを防止することができる。
【発明の効果】
【００３０】
本発明に係る配線システムよれば、制御モジュールをゲート装置に着脱可能とすべくモジュール化するとともに、別所に設置されたセンサ手段からの情報を無線により受信可能とし、併せて、別所に設置された被制御対象である被制御機器に対し、制御モジュールからの制御信号を無線により送信可能とすることにより、遠隔にあるセンサ手段の情報に基づいて、被制御機器を遠隔制御することができるとともに、制御モジュールの設置場所について、自由度を大きくすることができる。したがって、制御モジュールをゲート装置に対して接続するだけで、多種多様な機能を持つシステム構築を可能とすることができる。
【００３１】
さらに、ゲート装置を複数設け、各ゲート装置間において情報線を介して情報の授受を行うことにより、無線通信手段が装着されるゲート装置と、制御モジュール等の機能モジュールが装着されるゲート装置とが異なる構成が実現可能となり、無線通信手段および上記各機能モジュールの設置場所について、自由度をより大きくすることができる。
【発明を実施するための最良の形態】
【００３２】
以下、本発明に係る配線システム一実施形態について図面を参酌しつつ説明する。図１は本実施形態における配線システムの施工例を示した説明図、図２は配線システムのシステム構成図、図３はゲート装置および基本機能モジュールのブロック図、図４は基本機能モジュールを裏側から見た斜視図である。
【００３３】
図１および図２に示すように、配線システムでは、建物内の適所において１ないし複数のスイッチボックス９０を埋設してあり、始端のスイッチボックス９０に対しては、屋外から配線盤６内に引き込まれた主幹ブレーカＭＢおよび分岐ブレーカＢＢを介して屋内に引き込まれた電力線Ｌ１と、外部のインターネット網ＮＴにゲートウェイＧＷ（ルータ、ハブ内蔵）を介して接続される情報線Ｌ２とを導入する。各スイッチボックス９０の間は、造営面としての壁面内に先行配置された電力線Ｌ１と情報線Ｌ２を送り配線してある。
【００３４】
ここで、スイッチボックス９０は、例えばＪＩＳで規格化された大角形の１個モジュール寸法の埋込型の配線器具を３個取付けることができる一連の取付枠に対応して規格化されたもので、図１に示すように、配線盤６または他のスイッチボックス９０から送り配線されてくる電力線Ｌ１および情報線Ｌ２を上部から導入するとともに、他のスイッチボックス９０へ送り配線するための電力線Ｌ１および情報線Ｌ２を下部から導出している。なお、スイッチボックス９０には、図１および図２に示すように、室内の天井１００に設けられるものと、壁１０１に設けられるものと、床１０２に設けられるものとがある。
【００３５】
図１および図３に示すゲート装置３は、取付枠を用いて埋込み配置されている。取付枠は矩形枠状であって、器具取付け用の細長の取付窓を有しており、左右の枠片には、取付窓の長手方向において器具取付孔を三組ずつ備えている。
【００３６】
また、取付枠の上下の枠片には、スイッチボックス９０に取付けるための取付けねじ用の長孔、壁を構成する石膏ボードなどに取付けるための従来周知のはさみ金具が取着される取着孔、前面側に後述のプレート枠を取付けるためのプレートねじ孔、および石膏ボードにタッピングねじにより直接ねじ固定するための挿通孔が少なくとも形成してある。また、上下の枠片の左右側部からは、Ｌ字形の引掛片が一体に突設されており、左右方向の片側から突出する引掛片は枠片の下部か延出して先端が上向きに突出している。この枠片に設けた長孔に挿通する取付けねじをスイッチボックス９０のねじ孔をスイッチボックス９０のねじ孔に締結することで、ゲート装置３ごとスイッチボックス９０に取付けられる。
【００３７】
ゲート装置３は、器体の背面に設けた速結端子構造の端子部３１ａ，３１ｂに電力線Ｌ１を接続するようになっており、下側の端子部３１ｂに接続される電力線Ｌ１は他のスイッチボックス９０への送り配線となる。一方器体の前面には、端子部３１ａ，３１ｂに接続された電力線Ｌ１と電気的に接続されている導電部を備えた電力路接続口３２が設けられている。
【００３８】
同様に、ゲート装置３は、器体の背面に設けた速結端子構造の端子部３３ａ，３３ｂに情報線Ｌ２を接続するようになっており、一方の端子部３３ｂに接続される情報線Ｌ２は他のスイッチボックス９０への送り配線となっている。また、器体の前面には、端子３３ａ，３３ｂに接続された情報線Ｌ２と電気的に接続されている導電部を備えた情報路接続口３４が設けられている。
【００３９】
ここに、ゲート装置３の電力路接続口３２および情報路接続口３４は、それぞれ、導電部の配列や開口部の形状を定型化（規格化）してある。後述する基本機能モジュール４の背面側には、電力路接続口３２および情報路接続口３４にそれぞれ対応した形態に規格化されたコネクタ４２ａ，４２ｂが形成されており、コネクタ４２ａ，４２ｂをそれぞれ接続口３２，３４に着脱自在に係合できるようになっている。
【００４０】
次に、ゲート装置３に接続される基本機能モジュール４について説明する。図６に示すように、基本機能モジュール４は偏平な直方体状のモジュール本体４０を備えており、モジュール本体４０の背面に設けたコネクタ４２ａ，４２ｂをゲート装置３の各接続口３２，３４に接続されることによって、器体の前面側にモジュール本体４０が重ねた状態で取着されている。
【００４１】
なお、本実施形態ではモジュール本体４０の大きさを三個モジュール寸法に対応する寸法に形成しているが、モジュール本体４０の大きさを二個モジュール寸法に対応しり寸法に形成するとともに、ゲート装置３の器体を取付枠の取付窓において上部および中央部の位置、または中央部および下部の位置に取付けるようにすれば、単位寸法の埋込型配線器具とともに取付枠に並設することが可能になる。
【００４２】
以下に、基本機能モジュール４の回路構成について、図３に基づいて説明する。基本機能モジュール４は、後述する拡張機能モジュール５を連接して使用するために以下の構成を備えている。すなわち、基本機能モジュール４は、ＡＣ／ＡＣコンバータ４３ａと、直流電源部４３ｂと、送受信部４５と、Ｅ／Ｏ変換部４６ａと、Ｏ／Ｅ変換部４６ｂと、機能部４９と、演算処理部４７とを具備している。
【００４３】
前記ＡＣ／ＡＣコンバータ４３ａは、コネクタ４２ａを介して接続される商用電源ＡＣを所定電圧に降圧するとともに、周波数を高周波に変換し、この高周波に変換した低圧交流電源をコア４４ａに巻装したコイル４４ｂに印加する機能を有する。前記直流電源部４３ｂは、低圧交流電源を整流平滑後、安定した直流電源からなる内部回路の動作電源（＋Ｖ）を得るものである。前記送受信部４５は、コネクタ４２ｂを介して接続される情報線Ｌ２を通じて情報信号の送受信を行う。
【００４４】
ここで、上述したコイル４４ｂとコア４４ａとは、基本機能モジュール４から拡張機能モジュール５に電力を非接触で供給するためのトランスの一次側となる電磁結合部を構成するもので、拡張機能モジュール５側に同様に設けた電磁結合部のコアにコア４４ａが磁気結合し、トランス作用によって拡張機能モジュール５に設けた電磁結合部のコイルに低圧交流電源を誘起させて電源供給を行うようになっている。なお、ＡＣ／ＡＣコンバータ４３ａでは、電力線Ｌ１を通じて供給される商用電源を、商用電源周波数に比べて高周波の交流電源に変換することで、電磁結合部によるトランス構成の小型化を図っている。
【００４５】
図３では、コア４４ａとコイル４４ｂとからなる電磁結合部が一組しか示されていないが、拡張機能モジュール５は基本機能モジュール４の左右いずれかの側、あるいは、基本機能モジュール４の左右両側に並べて配置されるもので、実際には電気的な並列な二組の電磁結合部が設けられ、モジュール本体４０の左右両側において側壁に近接する内部位置に電磁結合部が一組ずつ配置してある。ここに、各電磁結合部のコア４４ａの先端が近接配置されるモジュール本体４０の側面位置が、拡張機能モジュール５に対する磁気結合部Ｘとなっている。
【００４６】
前記Ｅ／Ｏ変換部４６ａは、情報線Ｌ２を介して受信される情報信号をＥ／Ｏ変換し、発光素子ＬＥＤを通じて光信号を送出するものである。前記Ｏ／Ｅ変換部４６ｂは、後述する拡張機能モジュール５から送られてくる光信号からなる情報信号を受光素子ＰＤで受光し、Ｏ／Ｅ変換して送受信部４５に出力する機能を有する。前記機能部４９は、機能モジュールの種類（後述）に対応しており、演算処理部４７は、機能部４９から送られてくるスイッチの操作データをＩ／Ｏインターフェース４８を通じて絞込み、送信先へ情報信号として送信させる処理を行う機能や、送受信部４５で受信した負荷の動作情報などを取込み機能部４９が備える動作表示ランプＬＤの点灯／消灯信号を生成し、Ｉ／Ｏインターフェース４８を通じて機能部４９へ送信する機能を備える。
【００４７】
一方、Ｅ／Ｏ変換部４６ａの発光素子ＬＥＤは、拡張機能モジュール５に対して情報信号を光信号により非接触で伝送するためのもので、連接する拡張機能モジュール５側のＯ／Ｅ変換部（図示せず）に設けた受光素子に対置される。また、Ｅ／Ｏ変換部４６ａの受光素子ＰＤは連設する拡張機能モジュール５から光信号により伝達されてくる情報信号を受光するためのもので、連接する拡張機能モジュール５側のＯ／Ｅ変換部（図示せず）に設けた発光素子に対置される。
【００４８】
なお、Ｏ／Ｅ変換部４６ａの発光素子ＬＥＤ、およびＯ／Ｅ変換部４６ｂの受光素子ＰＤも図３では一個ずつしか示されていないが、各変換部４６，４７には発光素子ＬＥＤおよび受光素子ＰＤを二組ずつ接続してあり、モジュール本体４０を左右両側において側壁に近接する内部位置に発光素子ＬＥＤおよび受光素子ＰＤを一組ずつ配置している。ここで、発光素子ＬＥＤの発光部および受光素子ＰＤの受光部が対向するモジュール本体４０の側壁部位は光信号が透過可能なように透明部Ｙとしてある。また、モジュール本体４０の両側では、受光素子ＰＤと発光素子ＬＥＤの位置が上下で逆になるように配置され、例えば右側では受光素子ＰＤを上、発光素子ＬＥＤを下とし、左側では発光素子ＰＤを下、発光素子ＬＥＤを上としてある。そして、電磁結合部のコア４４ａの先端部の配置位置と、受光素子ＰＤおよび発光素子ＬＥＤの配置位置の上下間隔は定形としている。
【００４９】
なお、基本機能モジュール４の機能部４９としては、スイッチ機能、センサ機能、スピーカ機能、無線通信モジュール（後述）等、種々の機能を適用し得る。また、図１および図２に示すように、天井１００に設けたゲート装置３に接続する基本機能モジュール４としては、照明器具の引掛プラグに対応した引掛栓刃接続部９１をもつ引掛シーリングローゼット型の基本機能モジュール４ａや人感センサ等を備えたセンサ型機能モジュール（図示せず）、さらに監視カメラを備えたカメラ型機能モジュール（図示せず）、さらにＢＧＭ等のスピーカＳＰをもつ基本機能モジュール４ｂ等が実現可能である。
【００５０】
また、壁１０１に設けたゲート装置３に接続する基本機能モジュール４として、照明器具などをオン／オフ操作するスイッチＳＷを備えた基本機能モジュール４ｃや、空調機器のコントローラ等の操作器型モジュール（図示せず）、モニタ装置を備えた基本機能モジュール４ｄが実現可能である。
【００５１】
さらに、床１０２に設けたゲート装置３に接続する基本機能モジュール４として、電源プラグ用のコンセント部９２を備えた基本機能モジュール４ｅや、スピーカＳＰを備えた基本機能モジュール４ｂ等がある。また、基本機能モジュール４が機能部４９を備えておらず、連接された拡張機能モジュール５に対して電力および情報信号を伝達する機能のみを備えているものでもよい。
【００５２】
この実施形態によれば、スイッチボックス９０に取付枠７０を用いて埋込み配設されたゲート装置３の各接続口３２，３４に適応する機能モジュールのコネクタ４２ａ，４２ｂを結合して、基本機能モジュール４をスイッチボックス９０に取付けることで、基本機能モジュール４の電力の確保または／および情報の確保が同時に行い、かつ配設を行うことができる。また、ゲート装置３の各接続口３２，３４およびコネクタ４２ａ，４２ｂの形態を定型化（規格化）しているので、基本機能モジュール４をいずれのゲート装置３にも接続することができ、そのためレイアウトフリーに施工でき、また基本機能モジュール４の機能によって、多様な配線システムを展開することができる。したがって、ユーザは好みの利用形態に応じて基本機能モジュール４を自由に施工することができ、将来的に建物内部のレイアウトを変更したり、新しい基本機能モジュール４を追加したい場合にも、基本機能モジュール４の着脱のみで簡単に対応できるから、機能モジュールの取替え性が向上する。
【００５３】
さらに、器具取付孔および係止爪からなる係脱部は規格化しており、ゲート装置３そのものも取付枠に係脱（着脱）可能であるから、ゲート装置３を複数設けたり、あるいは配置を好みに変更したりすることが可能であり、取付枠におけるレイアウトフリーも実現できる。さらに、いずれのスイッチボックス９０における係脱部も定型化することで、使用する部屋の変更等に応じてゲート装置３をスイッチボックス９０から取外したり、別のスイッチボックス９０に取付けたりすることが可能となり、さらに、基本機能モジュール４を一層広範囲でレイアウトフリーとすることが可能となる。
【００５４】
ここで、基本機能モジュール４に連接され、基本機能モジュール４から電力供給を受けて動作する拡張機能モジュール５について説明する。図５は拡張機能モジュールの構成例を示す図であり、図５（ａ）は側面図を図５（ｂ）は正面図をそれぞれ示す。また、図６は基本機能モジュールおよび拡張機能モジュールの取り付け状態を示す正面図であり、図７は図６の背面図である。図８は図５の拡張機能モジュールの構成図である。拡張機能モジュール５としては、様々な機能を有するものが用意されているが、基本的には、モジュール本体５０の高さ寸法を埋込型配線器具の三個のモジュール寸法に規格化するとともに、横幅寸法を一個のモジュール寸法の整数倍に規格化し、またモジュール本体５０の両側面の形状は基本機能モジュール４の側面と同一形状とし、さらに背面を図７に示すように平坦な面に形成し、造営面に沿って配設できるようにしてある。モジュール本体５０の上下位置には、取付枠の枠片と同様の枠片５１を一体に形成してあり、各枠片５１の挿通孔５２に通したタッピングねじにより壁を構成する石膏ボードなどにモジュール本体５０を直接ねじ固定することができる。
【００５５】
なお、各枠片５１には、前面側に後述のプレート枠８０を取付けるためのプレートねじ用のねじ孔５３が設けてある。また各枠片５１の左右両側部からはＬ字型の引掛片５４が一体に突出しており、左右方向の片側から突出する引掛片５４は枠片５１の上部から延出して先端が下向きに突出し、反対側から突出する引掛片５４は枠片５１の下部から延出して先端が上向きに突出している。
【００５６】
機能モジュール４，５を連設すると、基本機能モジュール４が取着された取付枠の引掛片７０、または連設された他の拡張機能モジュール５が取着された取付枠７０の引掛片または連設された他の拡張機能モジュール５の引掛片５４とを結合することによって各機能モジュール４，５のモジュール本体４０，５０をがたつきなく取付けられるようになっている。
【００５７】
図８に示すように、モジュール本体５０の内部には、コア４４ａおよびコイル４４ｂからなる電磁結合部を二組備えて、モジュール本体５０の左右両側部において側壁に近接する内部位置に配置するとともに、それぞれのコイル４４ｂを電気的に接続し、片側の電磁結合部が隣接する基本機能モジュール４または拡張機能モジュール５の電磁結合部と電磁結合して電力を受取る側（二次側）となると、他方の電磁結合部が電力供給側（一次側）となるようになっている。これらの電磁結合部を構成するコア４４ａの先端が近接配置されるモジュール本体５０の側面位置が磁気結合部Ｘとなる。また、両電磁結合部のコイル４４ｂ間を接続する線路には直流電源部４３を接続し、内部回路の動作電源＋Ｖを得るようになっている。
【００５８】
さらに、情報信号を授受するために、モジュール本体５０内には連接する基本機能モジュール４または拡張機能モジュール５から送られてくる光信号からなる情報信号を受光素子ＰＤにて受光し電気的な信号に変換するＯ／Ｅ変換部４６ｂと、電気信号からなる情報信号を隣接する基本機能モジュール４または拡張機能モジュール５へ光信号からなる情報信号として発光素子ＬＥＤにより送り出すためのＥ／Ｏ変換部４６ａと、Ｏ／Ｅ変換部４６ｂからの電気信号からなる情報信号を受取るとともに、電気信号からなる情報信号をＥ／Ｏ変換部４６ａへ送り出す情報信号送受信部４６とからなる情報信号送受信手段を二組設け、一方の発光素子ＬＥＤと受光素子ＰＤをモジュール本体５０の左側側壁近傍の内部に、また他方の発光素子ＬＥＤと受光素子ＰＤをモジュール本体５０の右側側壁近傍の内部に配置してある。
【００５９】
ここで、左側に配置される発光素子ＬＥＤの位置は受光素子ＰＤの下側に、また右側に配置される発光素子ＬＥＤの配置は、受光素子ＰＤの上側にそれぞれを配置してある。左側に連接される基本機能モジュール４または拡張機能モジュール５の右側側壁に近接は位置された発光素子ＬＥＤ、受光素子ＰＤに当該モジュールの左側に配置した受光素子ＰＤ、発光素子ＬＥＤがそれぞれ対向し、また右側に連接される基本機能モジュール４または拡張機能モジュール５の左側側壁に近接配置された発光素子ＬＥＤ、受光素子ＰＤに、当該モジュールの右側に配置した受光素子ＰＤ、発光素子ＬＥＤがそれぞれ対向するようになっている。そして発光素子ＬＥＤ、受光素子ＰＤが対向しているモジュール本体５０，の側壁は光信号が透過できるように基本機能モジュール４と同様に透明部Ｙとなっている。
【００６０】
そして、両側の情報信号送受信部４６間をモジュール本体５０内において、双方向の信号ライン５７で接続して、両側に隣接する基本機能モジュール４または拡張機能モジュール５に対して情報信号を中継できるようになっている。
【００６１】
また、モジュール本体５０内には、信号ライン５７上の情報信号を受信するとともに、信号ライン５７上に情報信号を送出する送受信部４５と、この送受信部４５で受信される情報信号からデータを取込んで処理を行うとともに、当該拡張機能モジュール５から他の拡張機能モジュール５宛にデータを送る場合のデータ生成処理を行う演算処理部４７と、Ｉ／Ｏインターフェエイス４８を介して演算処理部４７との間でデータの授受を行って動作する機能部４９とを設けてあり、この機能部４９の構成が拡張機能モジュール５の種類によって異なるのである。
【００６２】
ここで、拡張機能モジュール５のモジュール本体５０の側面に磁気結合部Ｘおよび透明部Ｙが形成される位置は、基本機能モジュール４の側面の磁気結合部Ｘおよび透明部Ｙの位置と合うように規格化され拡張機能モジュール５同士を連結させたとき、あるいは、基本機能モジュール４と拡張機能モジュール５とを連結させたときに面接する側面側の磁気係合部Ｘ，Ｘ同士および透明部Ｙ，Ｙ同士がそれぞれ対向するようになっている。つまり、それぞれの給電手段の接続口同士、情報信号の伝達手段の接続口同士が接続された状態となる。
【００６３】
本発明のゲート装置を用いた配線システムを使用するにあたっては、予め建物の適所（天井１００、壁１０１または床１０２）に埋設してあるスイッチボックス９０に取付枠７０を介してゲート装置３を取付けた後、造営面の裏側に先行配置されてスイッチボックス９０に導入されている電力線Ｌ１、情報線Ｌ２をゲート装置３の電力路接続口３２、情報路接続口３４にそれぞれ接続する。次に、電力路接続口３２および情報路接続口３４に対して、基本機能モジュール４の対応するコネクタ４２ａ，４２ｂを接続することにより、ゲート装置３の前面部を覆うようにして基本機能モジュール４を取付ける。
【００６４】
基本機能モジュール４は、この取付け状態において化粧プレート８２の前面部と同じ高さになる。拡張機能モジュール５は基本機能モジュール４の露出した両側側面の一方に片側の側面を面接させ、この状態で引掛片を互いに係合させるとともに、挿通孔に通したタッピングねじにより、石膏ボードのような造営材に直接ねじ止めする。そして、各機能モジュール４，５の前面側にプレートねじを用いてプレート枠８０をねじ止めした後、プレート枠８０の前面部に化粧プレート８２を取着して、化粧プレート８２の窓孔８３から各機能モジュール４，５の前面部の機能面を露出させる。
【００６５】
さらに先に連結した拡張機能モジュール５に別の拡張機能モジュール５を連結する場合には、対向側面を面接させ、引掛片５４同士を係合させた状態で、挿通孔５２に通したタッピングねじにより拡張機能モジュール５を造営材に固定すればよく、機能モジュール４，５の個数にあわせてプレート枠８０および化粧プレート８２を交換すればよい。
【００６６】
上述した使用例では、基本機能モジュール４の片側のみに拡張機能モジュール５を連結しているが、基本機能モジュール４の両側には拡張機能モジュール５を連結してもよい。但し、基本機能モジュール４に連結できる拡張機能モジュール５の数はＡＣ／ＡＣコンバータ４３ａの電力供給能力などによって制限される。
【００６７】
以上のようにして配設施工が終了し、配線システムの施工が完了した後は、ゲート装置３を介して各機能モジュール４，５に電力路および情報路を接続することができ、対応する機能モジュール４，５間で情報信号の授受が行われ、照明器具や床暖房装置などの操作や、カメラで撮影した画像のモニタが行える。
【００６８】
ここで、図１および図６に示す設置例に基づいて本実施形態の配線システムの構成を説明する。
【００６９】
本実施形態の配線システムは、図１に示すように、別所（本配線システムの少なくとも情報線Ｌ２に接続されていない場所）のドアホン８に設けられ、ドアホン８の近傍に人が接近したことを検知するセンサ手段である人感センサ９を有する。人感センサ９は、所定期間ドアホン近傍の所定範囲内に人が居続けた場合に知信号を送出する。
【００７０】
また、ゲート装置３の１つには、人感センサ９からの検知信号を無線通信により受信可能に構成される基本機能モジュール４として無線通信手段である無線通信モジュール４ｆが取り付けられる。無線通信モジュール４ｆの機能部４９は、図９に示すように、検知信号を受信するアンテナ部ＡＮと、アンテナ部ＡＮが受信した検知信号を所定の信号に変換して演算処理部４７にＩ／Ｏインターフェース４８を介して送るデータ生成機能を有するＣＰＵ部４９ｆとで構成されている。この無線通信モジュール４ｆがドアセンサ９から検知信号を受信することにより、情報線Ｌ２を介して他のゲート装置３に前記検知信号を送信することができる。
【００７１】
また、ゲート装置３の他の１つには、図６に示すように、基本機能モジュール４として、スピーカＳＰを構成する被制御モジュールであるスピーカモジュール４ｂが接続されるとともに、照明器具や床暖房装置などの操作スイッチを構成する拡張機能モジュール５ａと、制御信号を送出可能な無線通信手段を構成する拡張機能モジュールである無線通信モジュール５ｂと、表示画面上で入力が可能なタッチパネル装置を構成する拡張機能モジュールである操作モジュール５ｃ（これは制御モジュールおよび被制御モジュールをも兼ねる）とが設置されている。各機能モジュール４，５ａ〜５ｃの前面側にはプレートねじを用いてプレート枠８０が螺着されている。また、プレート枠８０の前面側には化粧プレート８２が取着されており、化粧プレート８２の窓枠８３から各機能モジュール４，５ａ〜５ｃの前面の機能面が露出するようになっている。
【００７２】
照明器具の操作スイッチを構成する拡張機能モジュール５aの機能部４９は、図１０に示すように押ボタンスイッチからなる操作スイッチＳＷａ，ＳＷｂと、これら操作スイッチＳＷａ，ＳＷｂの操作データを生成して演算処理部４７にＩ／Ｏインターフェース４８を介して送るデータ生成機能を有するＣＰＵ部４９ａとで構成され、モジュール本体５０の前面部には図１０に示すように、各スイッチＳＷａ，ＳＷｂの操作ボタンを配置している。
【００７３】
また、拡張機能モジュール５ｂは、制御信号を送出可能な無線通信手段を構成する無線通信モジュールであり、基本機能モジュール４と拡張機能モジュール５との相違を除いて、無線通信モジュール４ｆと同様の構成を有しているので、その説明を省略する。
【００７４】
一方、図１１に示すように、タッチパネル装置を構成する拡張機能モジュール５ｃの機能部４９は、表示の切替えなどの操作を行う物理的な操作スイッチＳＷｃと、Ｉ／Ｏインターフェース４８を介して送られてくる画像データを伸長復号して液晶表示によるタッチパネル部ＴＰに表示させるとともに、操作スイッチＳＷｃの操作に応じて画面の切替えなどの処理を行う一方、タッチパネル部ＴＰに指等を接触させることにより、そのときの画面表示に応じて所定の制御信号を生成するＣＰＵ部４９ｃとで構成される。なお、拡張機能モジュール５の機能部４９を上記の機能を有するものに限定する趣旨のものではなく、電源コンセントや情報コンセントなどの機能を有するものや、インターホン通話の機能を有するものを別途接続してもよい。
【００７５】
また、本発明のゲート装置を用いる配線システムにおいて、情報信号を伝送する方式としては、ベースバンド伝送またはブロードバンド伝送のいずれを採用してもよく、またプロトコルもいずれでもよいが、音声、映像などを用いるインターホンの親機、子機との間にはＪＴ−Ｈ２３バケットに基づいて音声・映像を相互に伝送することとし、また制御系にあっては、操作側からの操作データにより１ないし複数の負荷を操作できるような１対１または１対Ｎの対応が可能なユニキャストあるいはブロードキャストに対応する経路制御プロトコルを採用すればよく、特に限定されるものではないので、説明は省略する。
【００７６】
また、ゲート装置３間の使用プロトコルと、ゲート装置３に連なる機能モジュール４，５での使用プロトコルを異ならせ、例えば、ゲート装置３においてプロトコル変換を行うようにしてもよい。
【００７７】
上記構成例において、ドアホン８の人感センサ９が人の存在を検知すると、検知信号が無線により送出される。無線通信モジュール４ｆは、この検知信号の情報を受信し、情報線Ｌ２を介して他のゲート装置３に装着される被制御モジュールであるスピーカモジュール４ｂおよび操作モジュール５ｃに検知信号の情報を送信する。スピーカモジュール４ｂは、検知信号の情報（人の存在）を受けてスピーカＳＰから警報音を発生させる。
【００７８】
一方、タッチパネルモジュール５ｃは、検知信号の情報を受けて、人の存在を検知した場所（玄関）やドアホン８に設置された監視カメラ１０の映像をモニタに表示するとともに、これに対していかに対処するかを選択するために、侵入者または近隣に侵入者の存在を知らせる「警報」、警察や警備会社に電話等による通報を行う「通報」、ドアホン８前の人に対して会話を行う「応答」、ドアの鍵を開錠する「開錠」等の各タッチスイッチを表示させる。
【００７９】
ユーザがタッチパネル部ＴＰ上に表示されたタッチスイッチに触れることにより、タッチパネルモジュール５ｃは操作モジュールおよび制御モジュールとして機能し、表示内容に則した制御信号がＣＰＵ部４９ｃで生成され、無線通信モジュール５ｂに送信される。なお、図６の例においては、１つのタッチパネルモジュール５ｃで被制御モジュール、操作モジュールおよび制御モジュールのそれぞれの機能を兼用すべく構成しているが、被制御モジュールとして情報を表示するだけのモニタモジュール、操作ボタンを有する操作モジュールおよび操作モジュールの操作に応じた制御信号を生成する制御モジュールをそれぞれ別の機能モジュール（基本機能モジュール４、拡張機能モジュール５の別は問わない）として構成することも可能である。また、一連の処理を行う被制御モジュール、操作モジュール、制御モジュールおよび無線送信モジュールを同一のゲート装置３を有する１つのモジュール群内に配置する必要は必ずしもなく、別のゲート装置３を有する別のモジュール群においてそれぞれを配置し、情報線Ｌ２を介して各信号の授受を行うこととしてもよい。
【００８０】
無線通信モジュール５ｂは、タッチパネルモジュール５ｃからの制御信号を受信し、対象の被制御機器（例えば、ドアホン８に設置されたスピーカ、担当警備員の携帯電話１１、遠隔操作可能なドアのロック機構（図示せず）等）に対し、無線により制御信号を送信する。無線通信モジュール５ｂからの制御信号を受信した各被制御機器は、制御信号に基づいて制御（例えば、ドアホン８に設置されたスピーカから警報音を報知したり、担当警備員の携帯電話１１に電話をかけたり、ドアを開錠したり等）される。つまり、無線通信手段（無線通信モジュール５ｂ）が電力線Ｌ１および情報線Ｌ２上に設けられたモジュール（タッチパネルモジュール５ｃ）と、電力線Ｌ１および情報線Ｌ２上にない機器（ドアホン８、携帯電話１１）との間の情報の授受を行う情報ステーションとしてのゲートの役割を果たすこととなる。特に、携帯電話１１に電話をかける構成の場合、無線通信モジュール５ｂは、公衆通信網を利用可能に構成される。これにより、無線通信モジュール５ｂから携帯電話網等の公衆通信網を利用して携帯電話１１に通信可能となるため、携帯端末を制御対象または被制御対象として構成することができる。
【００８１】
以上のように、タッチパネルモジュール５ｃ等の制御モジュールをゲート装置３に接続された基本機能モジュール４または拡張機能モジュール５とすべくモジュール化するとともに、別所に設置されたドアホン８等のセンサ手段からの情報を無線により受信可能とし、併せて、別所に設置された携帯電話１１やドアのロック機構等の被制御機器に対し、制御モジュールからの制御信号を無線により送信可能とすることにより、遠隔にあるセンサ手段の情報に基づいて、被制御機器を遠隔制御することができるとともに、制御モジュールの設置場所について、自由度を大きくすることができる。また、無線通信手段についてもモジュール化することにより、無線通信手段の設置場所について、自由度を大きくすることができる。また、無線通信手段を機能モジュール４，５として構成することにより、他の拡張機能モジュール５との間に容易に別の拡張機能モジュール５を追加することができ、配線システムの機能拡張を容易に行うことができる。したがって、制御モジュールをゲート装置３に対して接続するだけで、多種多様な機能を持つシステム構築を可能とすることができる。
【００８２】
さらに、ゲート装置３を複数設け、各ゲート装置３間において情報線Ｌ２を介して情報の授受を行うことにより、無線通信手段（無線通信モジュール４ｆ，５ｂ）が装着されるゲート装置３と、制御モジュール等の機能モジュールが装着されるゲート装置３とが異なる構成が実現可能となり、無線通信手段および上記各機能モジュールの設置場所について、自由度をより大きくすることができる。
【００８３】
なお、上記構成例においては、ドアホン８をセンサ手段として防犯、来客対応を行うための構成について説明したが、他の種々の構成が適用可能である。例えば、センサ手段として煙や炎、熱等を検知する火災報知機（火災センサ）を適用し、被制御機器としてスプリンクラーや電話（消防、警備会社や外出中の家主に通報）を適用することにより、火災等発生時の迅速な通報、消火活動が可能となる。
【００８４】
ここで、無線通信手段は、上記の例のように機能モジュール４，５として構成してもよいが、別途ゲート装置３に装着可能に構成することとしてもよい。図１２は本発明の他の実施形態における基本機能モジュールおよび拡張機能モジュールの取付け状態を示す正面図である。図１２の例においては、機能モジュール群の化粧プレート８２の外側にアンテナ部が表出した無線通信機８がゲート装置３に着脱可能に構成される。無線通信機８は、ゲート装置３と接続すべく、ゲート装置３と基本機能モジュール４との間に薄板状の接続部を有し、当該接続部をゲート装置３の各接続口３２，３４および基本機能モジュール４のコネクタ４２ａ，４２ｂ間に介装することにより、無線通信機８に電力の供給および情報の授受が実現される。これにより、ゲート装置３または基本機能モジュール４の形状を変更することなく、ゲート装置３に直接接続可能な無線通信手段を形成可能である。また、図１２の例においては、無線通信機８はゲート装置３の電力路接続口３２を介して電力線Ｌ１からの電力により駆動するため、他に駆動電源を求める必要がなくなり、モジュール化しない場合であっても、よりシンプルかつ省スペースに構成することができる。
【００８５】
なお、図１２の例においては、タッチパネルモジュール５ｃとは別に、拡張機能モジュールである制御モジュール５ｄを具備する。この制御モジュール５ｄは、無線通信機８からの検知信号を一旦受信し、スピーカ、タッチパネル等の各機能モジュールに配信するとともに、各機能モジュールにて生成された各種制御信号を該当する被制御対象（機能モジュール４，５または無線通信機５を介して別所にある被制御機器（ドアホン８等）に配信する。このように、制御モジュール５ｄにより、他の機能モジュールの制御を統括するとともに、各機能モジュール４，５が具備する機能部４９のＣＰＵ部にて補助的な演算を行うことにより制御処理の自由度を確保することができ、処理の高速化を図ることができる。
【００８６】
また、モジュール化しない無線通信手段を部屋の上部位置に設置されたゲート装置に接続することとしてもよい。図２においては、壁１０１の上部に設けられたエアコン用のスイッチボックス９０のゲート装置３に無線通信機１３が設置される。これにより、無線通信機１３が家具等の障害物の少ない室内の高い位置に設置される。したがって、無線電波が障害物によって遮断されることを防止することができる。なお、無線通信手段をモジュール化しない場合であっても、ゲート装置３に対して取り外し可能であることが好ましい。これにより、無線通信手段が単独で取り替え可能となり、無線通信手段のバージョンアップや保守等を容易に行うことができる。また、天井１００の照明器具の引掛プラグに対応した引掛栓刃接続部９１の外周部の全部または一部に無線通信機を取り付けることとしてもよい。
【００８７】
また、図１３に示すように、拡張機能モジュール５（または基本機能モジュール４）として構成されるアダプタモジュールを用い、無線通信手段は、アンテナ部ＡＮを含む無線通信チップ７として、アダプタモジュール５の収納部５１に収納可能に構成されることとしてもよい。なお、アダプタモジュール５の収納部５１の構成はこれに限らず、アダプタモジュール５に設けられた挿入スロット（図示せず）を収納部として当該挿入スロットに無線通信チップを挿入する構成等、種々採用可能である。
【００８８】
この場合、モジュール本体５０の内部は、収納部５１を除いて拡張機能モジュール５と同様である。モジュール本体５０には、無線通信チップ７を収納するための開閉自在の収納部５１が設けられている。アダプタモジュール５は、収納部５１にアンテナ部ＡＮを含む無線通信チップ７を収納することによりゲート装置３と電気的に接続され、ゲート装置３との間で給電および情報の授受を行うことができる。
【００８９】
このように、無線通信手段をチップ化し、アダプタモジュール５に収納してアダプタモジュール５を機能モジュール４，５として構成することにより、無線通信手段（無線通信チップ７）を小型化することが可能となるうえに、機能モジュール４，５に直接接続する必要がないので、汎用性を向上させることができる。したがって、この場合でも無線通信手段をモジュール化することができ、無線通信手段の設置場所について、自由度を大きくすることができる。
【００９０】
なお、上述した実施形態ではゲート装置３と基本機能モジュール４との間において、電力路、情報路の接続はコネクタ４２ａ，４２ｂ側の接触ピンが各接続口３２，３４の接触部に接触することで行われることになっているが、非接触構成としてもよい。つまり上述した基本機能モジュール４が拡張機能モジュール５に非接触で電力を供給するために用いたＡＣ／ＡＣコンバータ４３ａおよびコア４４ａ，４４ｂからなる電磁結合部とともに、情報信号の授受を非接触で行うためのＥ／Ｏ変換部４６ａおよびＯ／Ｅ変換部４６ｂをゲート装置３に内蔵し、基本機能モジュール４側にこれに対応して磁気結合部、Ｅ／Ｏ変換部、Ｏ／Ｅ変換部を設け、電力路接続口３２を上述した磁気結合部Ｘにより構成し、情報路接続口３２を上述した透明部Ｙにより構成する。
【００９１】
また、基本機能モジュール４側にもゲート装置３の磁気結合部Ｘおよび透明部Ｙにそれぞれ対応して、磁気結合部Ｘと透明部Ｙとを設ける。そしてゲート装置３では、両接続口３２，３４を構成する磁気結合部Ｘ、透明部Ｙの形状と両者の間隔を定型化（規格化）して両接続口３２，３４のモジュール化を図り、他方、基本機能モジュール４の磁気結合部Ｘ、透明部Ｙの形状と両者の間隔を両接続口３２，３４のそれと合わせて定型化を図ればよい。
【００９２】
上述した実施形態の場合には、情報路と、電力路を別にしているためゲート装置３には電力線Ｌ１と情報線Ｌ２とをそれぞれ接続しているが、電力線搬送によって情報信号の伝送を行えば、電力路を情報路として用いることもできるため、配線を電力線Ｌ１のみとすることもできる。つまり、各スイッチボックス９０での先行配線は電力線Ｌ１のみとしてもよい。
【００９３】
この場合、基本機能モジュール４において、図１４に示すようにコネクタ４２ａおよび電力路接続口３２を介して電力線Ｌ１に接続され、電力線搬送通信により情報信号を授受するＰＬＣモデム部５３を設け、送受信部４５ではＰＬＣモデム部５３を介して受信された情報信号をＥ／Ｏ変換部４６ａにより光信号で送信させるとともに、Ｏ／Ｅ変換部４６ｂが受光した光信号よりなる情報信号を、ＰＬＣモデム部５３から電力線搬送によって送信させる。また送受信部４５は、ＰＬＣモデム部５３を介して受信された情報信号を演算処理部２６に出力して、演算処理部２６によりデータ処理を行わせるとともに、演算処理部２６から入力された情報信号をＰＬＣモデム部５３から電力線搬送によって送信させる。
【００９４】
なお、ＰＬＣモデム部５３で採用する電力線搬送の変調方式としては、広帯域スペクトラム拡散方式、マルチキャリア方式、ＯＦＤＭ方式等各種方式のいずれでもよいので、ここでは特に説明しない。また、図１４に示す例では、基本機能モジュール４のＰＬＣモデム部５３により電力線搬送通信で伝送された情報信号を分離し、各機能モジュール４，５間ではＥ／Ｏ変換部４６ａおよびＯ／Ｅ変換部４６ｂを用いて情報信号の授受を行っているが、各々の拡張機能モジュール５にＰＬＣモデム部を設けて、各拡張機能モジュール５において電力線搬送通信により情報信号の授受を行うようにしてもよい。
【００９５】
本発明の配線システムでは、図１５および図１６に示すように、複数の機能モジュール同士は互いに着脱自在とされている。すなわち、図１５では、扁平なモジュール本体５０のコネクタの被接続部をゲート装置３の接続口に結合させることで、スイッチボックス９０の前面開口を覆うとともに、周部のフランジをスイッチボックス９０の前面開口周辺の壁面に重ねた状態となり、その状態で上、下部の中央に穿孔している取付孔１５０に取り付けねじ（図示せず）を前面部側から挿通させて取付枠７０の上下枠に設けたねじ孔に螺入締結することでスイッチボックス９０に取付枠７０を介して取り付けられる。
【００９６】
また、モジュール本体５０の前面部には、上、下の取付孔１５０の開口位置より上または下側位置において、図１５（ａ）に示すようにモジュール本体５０の幅方向に幅広溝１５０ａと幅狭溝１５０ｂとからなる連結用溝部１５１を中央の仕切壁１５３で左右に二分されるように形成している。
【００９７】
この仕切壁１５３の左側または右側の連結用溝部１５１には、合成樹脂製の連結体１５４の片側半分を仕切壁に当たる位置まで嵌め込み、この連結体の残り半分を拡張機能モジュール５ａ，５ｂ側に同様に設けてある連結用溝部１５１に嵌め込むことで、基本機能モジュール４と拡張機能モジュール５ａ，５ｂとを機械的に結合できるようになっている。連結体１５４は、図１５に示すように、背面に幅広溝１５０ａ，幅狭溝１５０ｂを仕切る仕切壁１５０ｃが嵌る溝１５４ａを設け、両溝１５０ｂ，１５４ａに跨るように挿入される。そして、基本機能モジュール４では前面部側から化粧プレート８２を着脱自在に被着することで、また、拡張機能モジュール５ａ，５ｂでは蓋部を閉じることで、両者の連結用溝部１５１に跨るように嵌め込んである連結体１５４が脱落しないように保持して連結状態を維持するようになっている。このようにして、連結体１５４と連結用溝部８１とが基本機能モジュール４と拡張機能モジュール５ａ，５ｂとの連結手段を構成する。
【００９８】
さらに、複数の機能モジュール同士を着脱自在とするために、図１６（ａ），（ｂ）に示すように、モジュール本体５０の上、下の背面に背方と側方が開口するとともに後方の開口位置から奥端までが斜め向きとなった連結用溝部１６１を長手方向に形成し、一方連結体１５４をモジュール本体５０の正面の上下部に形成したテーパー面に沿わせる前片１５４ｂと、この前片１５４ｂの上端又は下端から基本機能モジュール４の背面に沿わせる後片１５４ｃと、この後片１５４ｃの先端から連結溝部１５１内に挿入係止される係止片１５４ｄとで構成しても良い。この場合、図１６（ａ）に示すようにモジュール本体５０とモジュール本体５０の側面同士を面接させた状態で片側のモジュール本体５０の片側から連結用溝部１６１に係止片１５４ｄを挿入させ、さらに図１６（ｂ）に示すように、連結する側のモジュール本体５０側の連結用溝部１６１に連結体１５４の略半分をスライド挿入させることで、隣接するモジュール本体５０を結合するのである。ここで、連結体１５４の係止片１５ｄが連結用溝部１６１に係合している状態であるため、側方にスライドさせないかぎり連結状態は外れない。これにより、各機能モジュール４，５をねじ止めする必要がなく、着脱が容易となるため、ユーザのニーズに合わせて、簡単にシステムの拡張、変更等を行うことができる。
【００９９】
以上、本発明に係る実施の形態を説明したが、本発明は上記実施の形態に限定されるものではなく、その趣旨を逸脱しない範囲内で種々の改良、変更、修正が可能である。
【図面の簡単な説明】
【０１００】
【図１】本発明の一実施形態における配線システムの施工例を示した説明図
【図２】本実施形態における配線システムのシステム構成図
【図３】図１のゲート装置および基本機能モジュールの構成図
【図４】図１の基本機能モジュールを裏側から見た斜視図
【図５】図１の拡張機能モジュールの構成例を示す図
【図６】図１の基本機能モジュールおよび拡張機能モジュールの取付け状態を示す正面図
【図７】図６の背面図
【図８】図５の拡張機能モジュールの構成図
【図９】図１の拡張機能モジュールの機能部の構成例を示す図
【図１０】図６の拡張機能モジュールの構成例を示す図
【図１１】図６の拡張機能モジュールの他の構成例を示す図
【図１２】本発明の他の実施形態における基本機能モジュールおよび拡張機能モジュールの取付け状態を示す正面図
【図１３】本発明の他の実施形態における拡張機能モジュールを示す図
【図１４】本発明の他の実施形態における拡張機能モジュールを示す構成図
【図１５】機能モジュール同士の連結構成の説明図
【図１６】機能モジュール同士の他の連結構成の説明図
【符号の説明】
【０１０１】
３…ゲート装置、４…基本機能モジュール、４ｆ，５ｂ…無線通信モジュール（無線通信手段）、５…拡張機能モジュール、５ｃ…タッチパネルモジュール（被制御モジュール／操作モジュール／制御モジュール）、５ｄ…制御モジュール、７…無線通信チップ（無線通信手段）、８，１３…無線通信機（無線通信手段）、９…人感センサ（センサ手段）、１１…携帯電話（被制御機器）３２…電力路接続口、３４…情報路接続口、Ｌ１…電力線、Ｌ２…情報線
【図１】
2007174550.tif 000003
【図２】
2007174550.tif 000004
【図３】
2007174550.tif 000005
【図４】
2007174550.tif 000006
【図５】
2007174550.tif 000007
【図６】
2007174550.tif 000008
【図７】
2007174550.tif 000009
【図８】
2007174550.tif 000010
【図９】
2007174550.tif 000011
【図１０】
2007174550.tif 000012
【図１１】
2007174550.tif 000013
【図１２】
2007174550.tif 000014
【図１３】
2007174550.tif 000015
【図１４】
2007174550.tif 000016
【図１５】
2007174550.tif 000017
【図１６】
2007174550.tif 000018